(57)【特許請求の範囲】
【請求項１】
複数の操作キーを有し、デジタルビデオディスクに映像データとして記録されている映像を再生指示するためにユーザに操作され、前記操作キーの操作に応じて複数の異なるコード波形の組合せにより構成されるコード信号を無線で送出するリモコンと、前記リモコンから送出されたコード信号を受信する受信部と、前記受信部により受信したコード信号に基づいて、前記デジタルビデオディスクに記録されている映像データを再生し、該映像データによる映像を本装置に接続されるディスプレイに表示させる映像再生手段と、本装置の各種の動作確認を行うためのテストモードへの切換えを制御すると共に、該テストモードにおける動作を制御するテストモード制御手段とを備えたＤＶＤプレイヤにおいて、
前記テストモード制御手段は、
前記受信部により受信したコード信号に対し、該コード信号を構成する個々のコード波形の種別を判別し、判別した個々のコード波形の種別を前記ディスプレイに表示させる波形種別表示機能手段と、
前記判別した個々のコード波形の受信時間を前記ディスプレイに表示させる波形時間表示機能手段と、
前記波形種別表示機能手段による表示から前記波形時間表示機能手段による表示への切換えを制御する表示切換手段とを備え、
前記受信したコード信号を前記ディスプレイの画面表示により確認できることを特徴とするリモコンコードの画面表示機能を有したＤＶＤプレイヤ。
【請求項２】
複数の操作キーを有し、デジタルビデオディスクに映像データとして記録されている映像を再生指示するためにユーザに操作され、前記操作キーの操作に応じて複数の異なるコード波形の組合せにより構成されるコード信号を無線で送出するリモコンと、前記リモコンから送出されたコード信号を受信する受信部と、前記受信部により受信したコード信号に基づいて、前記デジタルビデオディスクに記録されている映像データを再生し、該映像データによる映像を本装置に接続されるディスプレイに表示させる映像再生手段と、本装置の各種の動作確認を行うためのテストモードへの切換えを制御すると共に、該テストモードにおける動作を制御するテストモード制御手段とを備えたＤＶＤプレイヤにおいて、
前記テストモード制御手段は、前記受信部により受信したコード信号の内容を前記ディスプレイに表示させるコード表示機能手段を備え、前記受信したコード信号を前記ディスプレイの画面表示により確認できることを特徴とするリモコンコードの画面表示機能を有したＤＶＤプレイヤ。
【請求項３】
前記コード表示機能手段は、前記コード信号を構成する個々のコード波形の種別を判別し、その判別結果を前記ディスプレイに表示させる波形種別表示機能手段と、前記判別した個々のコード波形の受信時間を前記ディスプレイに表示させる波形時間表示機能手段とを備え、前記受信したコード信号を前記ディスプレイの画面表示により確認できることを特徴とする請求項２に記載のリモコンコードの画面表示機能を有したＤＶＤプレイヤ。
【発明の詳細な説明】
【０００１】
【発明の属する技術分野】
本発明は、リモコンの操作によりＤＶＤ（デジタルビデオディスク）に記録されている映像等の情報を再生するＤＶＤプレイヤに関する。
【０００２】
【従来の技術】
従来、リモコンを操作することにより、ＤＶＤ（デジタルビデオディスク）に記録されている映像データを再生し、その映像データによる映像をディスプレイに表示させるＤＶＤプレイヤがある。従来のＤＶＤプレイヤにおいては、装置の各種の動作確認を行うためのテストモード機能を備えたものが知られている。このテストモード機能は、装置本体の表示部にＤＶＤの装着状況や再生状況等の表示が正しく行われるかテストしたり、ＤＶＤからのデータの読取りが正しく行われているかテストする機能を有している。しかしながら、従来のＤＶＤプレイヤにおけるテストモード機能は、リモコンのテストを行う機能を有していなかった。
【０００３】
このため、従来のＤＶＤプレイヤでは、リモコンのテストは、オシロスコープ等の計測機器を装置本体のリモコン受光器の部分に接続し、その状態でリモコンを操作してコード信号を送出し、そのとき計測機器から出力される波形を計測していた。そして、その計測波形により、リモコンから受信したコード信号を確認し、リモコンが正常であるかをテストしていた。
【０００４】
一方、ワイヤレスリモコンに関し、テストスイッチを操作することにより、リモコンに設けられたキー入力の内容等を表示する表示部に、リモコンから送信したコード信号を表示させるものが知られている（例えば、特開平６−１７８３６８号公報参照）。
【０００５】
【発明が解決しようとする課題】
ところが、上述した従来のＤＶＤプレイヤでは、リモコンのテストは、別途オシロスコープ等の計測機器を準備しなければならず、また、計測機器をリモコン受光器の部分に接続する作業を行わなければならいため、手間が掛かり煩雑なものとなっていた。なお、上述した特開平６−１７８３６８号公報に開示の内容を適用したとしても、上述の課題を解決することはできない。
【０００６】
本発明は、上記課題を解決するためになされたものであり、別途オシロスコープ等の計測機器を用いることなくリモコンから受信したコード信号の確認ができ、容易にリモコンのテストを行うことができるＤＶＤプレイヤを提供することを目的とする。
【０００７】
【課題を解決するための手段】
上記目的を達成するために請求項１の発明は、複数の操作キーを有し、デジタルビデオディスクに映像データとして記録されている映像を再生指示するためにユーザに操作され、前記操作キーの操作に応じて複数の異なるコード波形の組合せにより構成されるコード信号を無線で送出するリモコンと、前記リモコンから送出されたコード信号を受信する受信部と、前記受信部により受信したコード信号に基づいて、前記デジタルビデオディスクに記録されている映像データを再生し、該映像データによる映像を本装置に接続されるディスプレイに表示させる映像再生手段と、本装置の各種の動作確認を行うためのテストモードへの切換えを制御すると共に、該テストモードにおける動作を制御するテストモード制御手段とを備えたＤＶＤプレイヤにおいて、前記テストモード制御手段は、前記受信部により受信したコード信号に対し、該コード信号を構成する個々のコード波形の種別を判別し、判別した個々のコード波形の種別を前記ディスプレイに表示させる波形種別表示機能手段と、前記判別した個々のコード波形の受信時間を前記ディスプレイに表示させる波形時間表示機能手段と、前記波形種別表示機能手段による表示から前記波形時間表示機能手段による表示への切換えを制御する表示切換手段とを備え、前記受信したコード信号を前記ディスプレイの画面表示により確認できるものである。
【０００８】
この構成においては、装置の各種の動作確認を行うためのテストモードにおいて、リモコンから受信したコード信号を構成するコード波形の種別が、ＤＶＤから再生した映像を表示するためのディスプレイに表示される。また、表示切換えにより、ディスプレイに表示されていたコード波形の種別表示が、コード波形の受信時間表示に切換えて表示される。これにより、リモコンから受信したコード信号を構成するコード波形の種別とコード波形の受信時間が、映像を表示するためのディスプレイ画面上で確認できる。
【０００９】
請求項２の発明は、複数の操作キーを有し、デジタルビデオディスクに映像データとして記録されている映像を再生指示するためにユーザに操作され、前記操作キーの操作に応じて複数の異なるコード波形の組合せにより構成されるコード信号を無線で送出するリモコンと、前記リモコンから送出されたコード信号を受信する受信部と、前記受信部により受信したコード信号に基づいて、前記デジタルビデオディスクに記録されている映像データを再生し、該映像データによる映像を本装置に接続されるディスプレイに表示させる映像再生手段と、本装置の各種の動作確認を行うためのテストモードへの切換えを制御すると共に、該テストモードにおける動作を制御するテストモード制御手段とを備えたＤＶＤプレイヤにおいて、前記テストモード制御手段は、前記受信部により受信したコード信号の内容を前記ディスプレイに表示させるコード表示機能手段を備え、前記受信したコード信号を前記ディスプレイの画面表示により確認できるものである。
【００１０】
この構成においては、装置の各種の動作確認を行うためのテストモードにおいて、リモコンから受信したコード信号の内容が、ＤＶＤから再生した映像を表示するためのディスプレイに表示される。これにより、リモコンから受信したコード信号が、映像を表示するためのディスプレイ画面上で確認できる。
【００１１】
請求項３の発明は、請求項２に記載のＤＶＤプレイヤにおいて、コード表示機能手段は、コード信号を構成する個々のコード波形の種別を判別し、その判別結果をディスプレイに表示させる波形種別表示機能手段と、判別した個々のコード波形の受信時間をディスプレイに表示させる波形時間表示機能手段とを備え、受信したコード信号をディスプレイの画面表示により確認できるものである。
【００１２】
この構成においては、リモコンから受信したコード信号の内容として、コード信号を構成するコード波形の種別とコード波形の受信時間がディスプレイに表示される。これにより、リモコンから受信したコード信号を明確に確認することができる。
【００１３】
【発明の実施の形態】
以下、本発明を具体化した実施形態について図面を参照して説明する。まず、本発明の一実施形態に係るＤＶＤプレイヤの電気的ブロック構成を図１に示す。ＤＶＤプレイヤ１は、ＤＶＤ（デジタルビデオディスク）７０に記録されている映像データを再生し、その映像データによる映像を本装置に接続されるディスプレイ５０に表示させる装置である。
【００１４】
ＤＶＤプレイヤ１は、ディスク挿入検知部２、スピンドルモータ３、光ピックアップ４、移動モータ５、レーザ駆動部６、信号処理部７、データスライス信号生成部８、及びサーボ制御部９を備えている。また、映像・音声信号出力部１０、リモコン１１、リモコン受光器（受信部）１２、表示部１３、及び上記各部を制御するＣＰＵ（映像再生手段、テストモード制御手段、コード表示機能手段、波形種別表示機能手段、波形時間表示機能手段、表示切換手段）２０を備えている。
【００１５】
ディスク挿入検知部２は、ＤＶＤ７０が不図示のディスク挿入部から挿入されたことを検出し、その信号をＣＰＵ２０へ入力する。挿入されたＤＶＤ７０は、スピンドルモータ３に装着される。スピンドルモータ３は、ＣＰＵ２０による制御のもと回転駆動され、装着されたＤＶＤ７０を回転させる。
【００１６】
光ピックアップ４は、ＤＶＤ７０から情報を再生するための光を照射すると共に、ＤＶＤ７０からの反射光を受光して電気信号に変換出力するものであり、ＣＰＵ２０による制御のもと、リニアモータから成る移動モータ５によりＤＶＤ７０上でその半径方向に移動される。
【００１７】
この光ピックアップ４は、半導体レーザ４１から出射された光をコリメートレンズ４２、ビームスプリッタ４３、及び対物レンズ４４を介してＤＶＤ７０上に集光照射する。また、ＤＶＤ７０からの反射光を対物レンズ４４、ビームスプリッタ４３、及び集光レンズ４５を介して光検知器４６で受光する。
【００１８】
半導体レーザ４１は、ＣＰＵ２０による制御のもと、レーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００１９】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４の位置（すなわち対物レンズ４４を介して照射する光の集光点の位置）をＤＶＤ７０面と垂直な方向へ移動させるものである。また、トラッキングコイル４９は、同様に、対物レンズ４４の位置（すなわち集光点の位置）をＤＶＤ７０面と平行にＤＶＤ７０の記録トラックと垂直な方向へ移動させるものである。
【００２０】
光ピックアップ４は、その位置が移動モータ５により移動され、また、対物レンズ４４の位置がフォーカシングコイル４８とトラッキングコイル４９の磁気作用により移動調整されることにより、半導体レーザ４１の光をＤＶＤ７０の所定の記録トラック上に集光照射する。
【００２１】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、ＣＰＵ２０へ入力する。
【００２２】
また、信号処理部７は、光検知器４６からの出力信号に基づいて、フォーカシングエラー信号及びトラッキングエラー信号を生成し、サーボ制御部９へ出力する。フォーカシングエラー信号は、対物レンズ４４を介して照射する光の集光点のＤＶＤ７０面からのずれ量に対応する信号であり、トラッキングエラー信号は、集光点の記録トラックからのずれ量に対応する信号である。
【００２３】
サーボ制御部９は、信号処理部７からのフォーカシングエラー信号に基づいてフォーカシングドライブ信号を生成し出力すると共に、トラッキングエラー信号に基づいてトラッキングドライブ信号を生成し出力する。フォーカシングドライブ信号は、フォーカシングコイル４８へ電流を供給し、対物レンズ４４をＤＶＤ７０面と垂直な方向に移動させるための信号である。トラッキングドライブ信号は、トラッキングコイル４９へ電流を供給し、対物レンズ４４をＤＶＤ７０面と平行に記録トラックと垂直な方向に移動させるための信号である。
【００２４】
映像・音声信号出力部１０は、ＣＰＵ２０による制御のもと、ＤＶＤ７０から再生した映像信号及び音声信号やその他各種の映像信号を出力する。この映像・音声信号出力部１０には、映像信号及び音声信号による映像の表示と音声の出力を行うディスプレイ５０が接続される。
【００２５】
リモコン１１は、ＤＶＤプレイヤ１の各種の動作を操作するためのものであり、各種の動作を操作するための操作キー（何れも不図示）を備えている。リモコン７は、これらの操作キーの操作に応じて、対応するコード信号を赤外線信号で送出する。リモコン受光器１２は、赤外線信号を受光して電気信号に変換し、その信号をＣＰＵ２０へ出力する。表示部１３は、ＤＶＤプレイヤ１本体のフロントパネルに設けられ、リモコン１１により操作された内容やＤＶＤプレイヤ１の動作状況等を表示する。
【００２６】
ＣＰＵ２０は、リモコン受光器１２からの信号に基づいて、リモコン１１から送出されたコード信号の内容を判断し、上記各部の動作を制御する。リモコン１１から送出されるコード信号は、複数のコード波形の並びによる波形列で構成されている。コード波形には、「ヘッダー」波形、「０」波形、「１」波形、及び「リピートコード」波形がある。
【００２７】
「ヘッダー」波形は、全てのコード信号に共通してコード信号の先頭に送信する波形である。「０」波形及び「１」波形は、リモコン１１の操作キーに対応する各コード信号毎に異なる順序で複数並べられ、「ヘッダー」波形に続けて送信する波形である。「リピートコード」波形は、操作キーを所定時間押し続けた場合に、「０」「１」波形に続いて送信する波形である。これらのコード波形は、パルス幅の異なるパルス波形から成り、例えば、「ヘッダー」波形はパルス幅が１３．３［ｍｓ］、「０」波形はパルス幅が１．１［ｍｓ］、「１」波形はパルス幅が２．２［ｍｓ］、「リピートコード」波形はパルス幅が２５．０［ｍｓ］となっている。
【００２８】
リモコン１１からは、操作キーの操作に応じたコード信号が赤外線パルス信号の形態で送出される。リモコン１１から送出された赤外線パルス信号は、リモコン受光器１２で受光され、受光したパルス信号に対応する電気パルス信号に変換され、ＣＰＵ２０へ入力される。
【００２９】
ＣＰＵ２０は、リモコン受光器１２から入力される電気パルス信号に基づいて、受光した赤外線パルス信号を構成する個々のコード波形の受信時間を検出する。そして、その受信時間が「ヘッダー」波形、「０」波形、「１」波形、「リピートコード」波形の何れのパルス幅に該当するか判断することで、個々のコード波形の種別を判別する。なお、何れのコード波形にも該当しない場合には「エラー」波形であると判別する。そして、受光した赤外線パルス信号を構成する全てのコード波形の種別を判別することで、リモコン１１から送出されたコード信号の内容を判断し、そのコード信号に対応する制御を行う。
【００３０】
上記構成のＤＶＤプレイヤ１には、リモコン１１の操作に応じて、ＤＶＤ７０から映像及び音声を再生しディスプレイ５０に表示出力させる通常モードと、ＤＶＤプレイヤ１の各種の動作確認を行うためのテストモードとがある。これらモードの切換は、ＣＰＵ２０による制御のもと行われ、テストモードへの切換えは、リモコン１１のテストモードキー（不図示）をオン操作することで行われ、通常モードへの切換えは、ＤＶＤプレイヤ１本体のＰＯＷＥＲボタン（不図示）をオン操作することで行われる。
【００３１】
通常モードにおいては、ＤＶＤプレイヤ１は、リモコン１１から受信したコード信号に応じて（すなわちリモコン１１の操作に応じて）上記各部の動作を制御し、ＤＶＤ７０から映像及び音声データを再生し、その映像及び音声データによる映像及び音声をディスプレイ５０に表示させる。
【００３２】
映像及び音声データの再生は、半導体レーザ４１からの光をＤＶＤ７０の情報記録トラック上に集光照射し、そのときの反射光に応じてデータスライス信号生成部８でデータスライス信号を生成する。そして、このデータスライス信号に基づいて、ＣＰＵ２０により、ＤＶＤ７０に記録されている情報を読取り、読取った情報を映像信号及び音声信号に再生する。再生した映像信号及び音声信号は、映像・音声信号出力部１０からディスプレイ５０へ出力され、ディスプレイ５０に映像及び音声が表示出力される。
【００３３】
また、テストモードにおいては、ＤＶＤプレイヤ１は、リモコン１１から受信したコード信号の内容をディスプレイ５０に表示させるコード表示機能を実行する。このコード表示機能には、波形種別表示機能と波形時間表示機能があり、波形種別表示機能は、コード信号を構成する個々のコード波形の種別（「ヘッダー」波形、「０」波形、「１」波形、及び「リピートコード」波形）をコード信号の波形列に対応させて表示させ、波形時間表示機能は、それらのコード波形の受信時間を表示させる。これらコード波形の種別表示とコード波形の受信時間表示とは、ＤＶＤプレイヤ１本体の表示切換えボタン（不図示）をオン操作することで切換えて表示される。また、テストモードにおいては、リモコン１１から受信したコード信号のディスプレイ５０への表示以外に、各種の動作確認機能も実行される。
【００３４】
次に、本実施形態に係るＤＶＤプレイヤ１のコード表示機能について、図２のフローチャートを参照して説明する。まず、ＤＶＤプレイヤ１は、ＣＰＵ２０により、リモコン１１のテストモードキーがオンされたか否かを判断し（＃１）。テストモードキーがオンされなければ（＃１でＮＯ）、通常モードでの動作を行い（＃２）、テストモードキーがオンされると（＃１でＹＥＳ）、テストモードに切換わる（＃３）。
【００３５】
ＤＶＤプレイヤ１は、テストモードに切換わると、まず、例えば図３に示すように、ディスプレイ５０の画面５１にテストモードの初期映像を表示させる（＃４）。図示の例では、画面５１の左上箇所には「REMOCON CODE」を表示させ、右下箇所には「EXIT：POWER」を「POWER」の文字の色を反転させて表示させている。「REMOCON CODE」の表示は、その下方に、リモコンコードが表示されることを示し、「EXIT：POWER」の表示は、ＤＶＤプレイヤ１本体の「POWER」ボタンをオン操作するとテストモードが終了することを示すものである。
【００３６】
次に、ＤＶＤプレイヤ１は、リモコン１１からコード信号を受信すると（＃５でＹＥＳ）、ＣＰＵ２０により、そのコード信号を構成している個々のコード波形の種別を、「ヘッダー」波形、「０」波形、「１」波形、「リピートコード」波形、「エラー」波形に判別する（＃６）。この判別は、コード信号を構成している個々のコード波形の受信時間を検出し、その受信時間が「ヘッダー」波形、「０」波形、「１」波形、「リピートコード」波形の何れのパルス幅に該当するか判断することにより行われる。なお、何れのコード波形にも該当しない場合に「エラー」波形であると判別する。
【００３７】
そして、ＤＶＤプレイヤ１は、判別した個々のコード波形の種別をコード信号の波形列に対応させてディスプレイ５０の画面５１に表示させる（＃７）。例えば、上記＃６でのコード波形の判別の結果、受信したコード信号が、「ヘッダー」波形と、これに続く「0000 0001 1100 0100 0101 0000 1010 1111」の並びから成る「０」「１」波形と、さらにこれに続く２つの「リピートコード」波形で構成されていたとする。この場合、例えば図４に示すように、ディスプレイ５０の画面５１にコード波形の種別を表示させる。
【００３８】
図示の例では、「REMOCON CODE」の表示の下の最初に「HEADER」と表示することで、受信したコード信号の先頭に「ヘッダー」波形があったことを示している。また、「HEADER」の表示の下に「0000 0001 1100 0100」「0101 0000 1010 1111」と表示することで、「ヘッダー」波形の次に「0000 0001 1100 0100 0101 0000 1010 1111」の並びから成る「０」「１」波形があったことを示している。さらに、１番下に「REPEAT CODE 02」と表示することで、最後に２つの「リピートコード」波形があったことを示している。
【００３９】
ここで、ＤＶＤプレイヤ１は、ＤＶＤプレイヤ１本体の表示切換えキーがオンされると（＃８でＹＥＳ）、上記コード波形の種別の表示に代えて、判別した個々のコード波形の受信時間をディスプレイ５０の画面５１に表示させる（＃９）。今の例では、例えば図５に示すように、ディスプレイ５０の画面５１にコード波形の受信時間を表示させる。ここで表示させる受信時間は、上記＃６のコード波形の種別の判別時に検出した受信時間である。
【００４０】
図示の例では、「REMOCON CODE」の表示の下の「13.321」の表示は、受信したコード信号の先頭のコード波形（すなわち「ヘッダー波形」）の受信時間が13.321［ms］であったことを示している。また、その下の「1.107 1.109 1.108 1.106」の表示は、「ヘッダー」波形に続く４つのコード波形（すなわち「０」「１」波形の最初の４つの波形）の受信時間が、それぞれ、1.107［ms］、1.109［ms］、1.108［ms］、1.106［ms］であったことを示している。同様に、その下の表示は、「０」「１」波形の次の４つの波形の受信時間を示し、最後の「25.012  25.013」の表示は、受信したコード信号の最後のコード波形（すなわち２つの「リピートコード波形」）の受信時間が、それぞれ、25.012［ms］、25.013［ms］であったことを示している。
【００４１】
ここで、ＤＶＤプレイヤ１は、ＤＶＤプレイヤ１本体の表示切換えキーがオンされると（＃１０でＹＥＳ）、上記コード波形の受信時間の表示に代えて、再び、コード波形の種別をディスプレイ５０の画面５１に表示させ（＃７）、上記＃４から＃１０の処理を繰り返す。
【００４２】
ＤＶＤプレイヤ１は、ＤＶＤプレイヤ１本体のＰＯＥＷＲキーがオンされると（＃１１でＹＥＳ）、テストモードを終了して、通常モードに戻る（＃１２）。ＰＯＥＷＲキーがオンされず（＃１１でＮＯ）、再びリモコン１１からコード信号を受信すると（＃５でＹＥＳ）、そのコード信号に対して、上記＃６以降の処理を繰り返す。
【００４３】
このように、上記構成のＤＶＤプレイヤ１によれば、装置の各種の動作確認を行うためのテストモードにおいて、リモコン１１から受信したコード信号を構成するコード波形の種別が、ＤＶＤ７０から再生した映像を表示するためのディスプレイ５０の画面５１上で確認できる。また、コード波形の受信時間についても、ディスプレイ５０の画面５１上で確認できる。
【００４４】
【発明の効果】
以上説明したように請求項１の発明によれば、リモコンから受信したコード信号を構成するコード波形の種別が映像を表示するためのディスプレイ画面上で確認できるため、コード信号の確認に別途オシロスコープ等の計測機器を用いる必要がなくなり、容易にリモコンのテストを行うことができる。また、表示切換えにより、コード波形の受信時間もディスプレイ画面上で確認できるため、より精確にリモコンのテストを行うことができる。
【００４５】
請求項２の発明によれば、リモコンから受信したコード信号の内容が映像を表示するためのディスプレイ画面上で確認ができるため、コード信号の確認に別途オシロスコープ等の計測機器を用いる必要がなくなり、容易にリモコンのテストを行うことができる。
【００４６】
請求項３の発明によれば、コード信号の内容としてコード波形の種別とコード波形の受信時間が表示され、コード信号が明確に確認できるため、より精確にリモコンのテストを行うことができる。
【図面の簡単な説明】
【図１】  本発明の一実施形態によるＤＶＤプレイヤの概略構成を示した電気的ブロック構成図。
【図２】  同装置のコード表示機能の動作を示したフローチャート。
【図３】  同装置のテストモードの初期映像の例を示す図。
【図４】  同装置のコード波形の種別表示の例を示す図。
【図５】  同装置のコード波形の受信時間表示の例を示す図。
【符号の説明】
１  ＤＶＤプレイヤ
１１  リモコン
１２  リモコン受光器（受信部）
２０  ＣＰＵ（映像再生手段、テストモード制御手段、コード表示機能手段、波形種別表示機能手段、波形時間表示機能手段、表示切換手段）
５０  ディスプレイ
７０  ＤＶＤ
【図１】
0003648631.tif 000002
【図２】
0003648631.tif 000003
【図３】
0003648631.tif 000004
【図４】
0003648631.tif 000005
【図５】
0003648631.tif 000006